(57)【特許請求の範囲】
【請求項１】
コーヒーまたはその他の芳香粒状生産物の芳香を維持する芳香維持キャニスターであって、
キャニスターの中空胴体および前記胴体を密閉する蓋を含み、
さらに、前記キャニスターの蓋が開いている場合に前記キャニスターの生産物を密閉する弾性ディスクを備え、
前記ディスクは、前記キャニスター内部の蓋下約０．５〜１．５ｃｍに水平に備えられ、
前記ディスクは、静止部分および、生産物密閉位置と生産物分割位置との間を可動な部分を備え、キャニスター内の生産物の一部を前記可動部分の位置とは独立した前記静止部分にとどまらせることが可能であり、
前記蓋、前記キャニスター胴体または前記可動部分は、前記キャニスターの蓋が閉じている場合に前記ディスク可動部分を生産物分割位置に押し曲げる手段を備え、
前記ディスクは、さらに、前記キャニスターの蓋が開いている場合に前記可動部分を元の生産物密閉位置まで引き戻すように構成されたバネを備えることを特徴とする改良キャニスター。
【請求項２】
可動部分を押し曲げる前記の手段が、キャニスターの蓋の内側に備えられ下方に向けられた突出部である、請求項１記載のキャニスター。
【請求項３】
可動部分を押し曲げる前記の手段が、ディスクの可動部分に備えられ上方に向けられた突出部である、請求項１記載のキャニスター。
【請求項４】
ディスクの静止部分が、キャニスターの蓋と面する側に凹面のくぼみを持つ、請求項１から３のいずれかに記載のキャニスター。
【請求項５】
前記バネがディスクの静止部分に繋がれている、請求項１から４のいずれかに記載のキャニスター。
【請求項６】
コーヒーまたはその他の芳香粒状生産物のための改良キャニスターに取り付けられ機能する弾性ディスクであって、請求項１及び３から５のいずれかに記載のようの構成されている弾性ディスク。
【発明の詳細な説明】
【０００１】
本発明の技術分野および従来技術
本発明は、粒状の生産物、とりわけコーヒーの芳香を失わないようにすることに有効な改良キャニスターに関する。
【０００２】
コーヒーおよびその他の粒状生産物のキャニスターに共通な不都合な点は、キャニスターの蓋を開ければ開けるほどその生産物が、徐々にその芳香を失うことである。本発明の目的は、缶詰にされた粒状生産物の芳香を、複数回の開口にもかかわらず、保持することである。
【０００３】
本発明の概要
コーヒーまたはその他の粒状芳香性生産物の芳香、鮮度および衛生を維持する本発明の改良キャニスターは、キャニスターの中空胴体および前記胴体を密閉する蓋を含む。そしてこのキャニスターは、前記キャニスター内部の蓋下約0.5〜1.5ｃｍに水平に備えられたディスクであって、芳香性生産物をキャニスター内においてこのディクスの下に収納するディスクを備えることを特徴とする。ディスクは、キャニスターの蓋が開いている場合はキャニスター内の生産物を密閉し、キャニスターの蓋が閉じている場合は「開口」している。ディスクは、二つの部分：大きい静止部分および小さい可動部分から成る。キャニスターの蓋もしくは胴体またはディスクの可動部分は、キャニスターの蓋が閉じている場合に前記のディスク可動部分を下方に押し曲げる手段を含む。
【０００４】
キャニスターの蓋が閉じ、ディスクの可動部分が下方に曲がっている場合の「開口」位置において、キャニスターの側壁とディスク可動部分の端との間に空間ができて、生産物を分けることができる。生産物は、キャニスターをさかさまにし、そして普通の位置まで返し戻すと、分割される。蓋が閉じているキャニスターをさかさまにすると、コーヒーはこの空間を通って流れ出る。キャニスターを普通の位置に戻すと、コーヒーの一部は、蓋下のディスク静止部分に残り、一方、その他のコーヒーは、ディスク可動部分によって形成される空間を通って下方のキャニスター下部に流れ戻される。使用者がキャニスターの蓋を取り除くと、ディスクの下のバネがディスク可動部分を押す。ディスク可動部分がキャニスターを密閉し、この部分のコーヒーのみが、使用者のカップへ注ぎ出され、キャニスターの中の生産物は密閉され、保存される。
【０００５】
ディスクの静止部分は、キャニスターの蓋と面する側にスプーン様の凹面のくぼみを持っていてもよい。これにより、よりよく正確な生産物の分割ができるようになる。
【０００６】
好ましい実施態様としては、可動部分を下方に押し曲げる前記の手段は、キャニスターの蓋の内側に下向きに設けられた突出部、または、可動部分に上向きに設けられた突出部である。本明細書および添付の特許請求の範囲の目的のためには、「突出物」という用語は、また、ロッド(rod)も指す。本発明によれば、蓋が閉じているときはディスクが開き、蓋が開いているときはディスクが閉じる。
【０００７】
別の方法としては、（キャニスターの蓋が開いている場合、）ディスクの可動部分は、ディスクの素材そのものの弾性力によって、または、より効果的に引き戻すことができる手段、例えば、一端が前記の可動部分にもう一端がディスク静止部分の特定の突出部に繋がれたバネによって、その最初の水平密閉位置まで戻される。
好ましい実施態様としては、改良キャニスターに取り付けられ機能する弾性ディスクは、キャニスターに適した寸法である大きい静止部分および小さい可動部分を含む。
蓋がロッドを押すことによって可動ディスクが押し下げられている場合、ディスクは、生産物が湾曲したスプーンに入ることができる水平ディスクの状況を作り出す。
ロッドは、常に内部ディスクの端よりも高くなければならない。
ディスクは一単位であることができるが、安全上の理由から、ロッドは、ディスクと分離して供給できる。ロッドは、消費者によって溝にはめ込まれることができる。
【０００８】
定義づけ
本明細書および添付の特許請求の範囲の目的のために、「キャニスター」という用語は、例えば、コーヒーおよびその他の粉末または粒状生産物を含むさまざまな生産物の芳香および鮮度または芳香もしくは鮮度ならびに衛生を維持するための固形壁または任意のパッケージの箱をもつキャニスターを指す。
【０００９】
本発明の詳細な説明
本発明を、図１〜７によって、詳細に説明する。この詳細な説明は、本発明の範囲を制限する意図はなく、単に好ましい実施態様を図解するに過ぎない。
【００１０】
図1〜3は、ディスク可動部分に突出部を備えた好ましい実施態様を示す。
【００１１】
図１は、コーヒーを上部に分けるためにさかさまにした蓋の閉じたコーヒーキャニスターを示す。蓋（２）が、突出部（６）を押す。ディスク（７）の可動部分（５）が、キャニスターの底に向かって曲がる。コーヒーは、キャニスター胴体（１）の側壁とディクス（７）の可動部分（５）の端との間の空間（８）を通って下方に注がれ、蓋（２）とくぼみ（４）を備えた静止部分（３）との間の空間に入る。
【００１２】
図2は、蓋（２）の閉じたキャニスター胴体（１）を示す。蓋（２）が、ディスク（７）の可動部分（５）の突出部（６）を押し、そして、可動部分（５）が、下方に曲がる。コーヒーの一部が、くぼみ（４）に残る。
【００１３】
図3は、蓋（２）がキャニスター胴体（１）から取り除かれ、突出部（６）を押していない時の位置を示す。ディスク（７）の可動部分（５）が、キャニスターを密閉する。ディスク（７）の静止部分（３）のくぼみ（４）が、使用できる状態にあるコーヒーの一部を保持する。
【００１４】
図4は、キャニスターの蓋の内部に突出部を備えた好ましい実施態様を示す。突出部（６）を備えた蓋（２）が、キャニスター胴体（１）から取り除かれている。ディスク（７）の可動部分（５）が、その密閉位置にある。コーヒーの一部が、ディスク（７）の静止部分（３）のくぼみ（４）に残る。
【００１５】
図5では、図2に従って、蓋の閉じたコーヒーキャニスターを、斜視図で示す。蓋（２）、ディスク（７）およびキャニスター胴体（１）を、それぞれから条件付きで分離した。蓋（２）が、突出部（６）を押し、ディスク（７）の可動部分（５）を曲げ、キャニスター胴体（１）とディスク（７）の可動部分（５）の端との間の空間（８）が、形成される。コーヒーの一部が、ディスク（７）の静止部分（３）のくぼみ（４）に残る。
【００１６】
図6は、引き戻しバネ（retractive spring）（２０）を備える本発明の他の実施態様であって、キャニスターの蓋が開いている場合の位置のものを示す。ディスク（１７）の可動部分（１５）が、引き戻しバネ（２０）を備える。バネ（２０）は、ディクス（１７）の静止部分（１３）の突出部（２１）からディスク（１７）の可動部分（１５）の突出部（２２）に渡り、これら両方の突出部に結び付けられている。蓋（１２）は、開いている場合、可動部分（１５）の突出部（１６）を押し下げない。その結果、バネは、開放され、可動部分（１５）をその密閉位置まで押し上げ、ディスク（１７）の開口部（２３）を閉じ、このようにして、キャニスターを密閉する。
【００１７】
図7は、図6の実施態様であって、キャニスターの蓋が閉じている場合の位置のものを示す。この位置では、蓋（１２）が、ディスク（１７）の可動部分（１５）の突出部（１６）を押し下げ、可動部分（１５）を下方に曲げ、開口部（２３）から押し離し、そうして、バネ（２０）を圧縮する。バネ（２０）は、ディスク（１７）の静止部分（１３）の突出部（２１）およびディスクの可動部分（１５）の突出部（２２）に結び付けられる。コーヒーキャニスターの蓋が閉じている場合、コーヒーキャニスターをさかさまにすることによって、開口部（２３）からくぼみ（１４）へコーヒーの一部を注ぎ出すことができる。
【図面の簡単な説明】
【図１】  図1は、ディスクの可動部分に突出部を備えた、蓋の閉じた芳香維持コーヒーキャニスターであって、コーヒーを上部に分けるためにさかさまにしたものの実例を示す。
【図２】  図2は、ディスクの可動部分に突出部を備えた、蓋の閉じた芳香維持コーヒーキャニスターであって、通常の位置のものの実例を示す。
【図３】  図3は、ディスクの可動部分に突出部を備えた、蓋の開いた芳香維持コーヒーキャニスターの実例を示す。
【図４】  図4は、キャニスターの蓋の内部に突出部を備えた、蓋の開いた芳香維持コーヒーキャニスターの実例を示す。
【図５】  図5は、芳香維持コーヒーキャニスターの斜視図の実例を示す。
【図６】  図6は、引き戻しバネを備えた本発明の他の実施例であって、キャニスターの蓋が開いた時の位置のものの実例を示す。
【図７】  図7は、図６の実施例であって、キャニスターの蓋が閉じた時の位置のものの実例を示す。
【図１】
0004684516.tif 000002
【図２】
0004684516.tif 000003
【図３】
0004684516.tif 000004
【図４】
0004684516.tif 000005
【図５】
0004684516.tif 000006
【図６】
0004684516.tif 000007
【図７】
0004684516.tif 000008